【手続補正書】
【提出日】平成19年11月19日(2007.11.19)
【手続補正１】
【補正対象書類名】明細書
【補正対象項目名】特許請求の範囲
【補正方法】変更
【補正の内容】
【特許請求の範囲】
【請求項１】
互いに直交して配置される複数本の信号線及び走査線と、この信号線と走査線との交点近傍にスイッチング素子を介して配置される画素電極とを備えたアレイ基板と、
前記アレイ基板と光変調層を挟んで配された対向基板と、
を含んた表示セルを駆動させる平面表示装置の駆動装置において、
前記信号線に接続され、画像信号を供給する複数の信号線駆動回路と、
前記走査線に接続され、前記スイッチング素子をＯＮ状態にして前記画像信号を前記画素電極に書き込むゲート信号を供給する走査線駆動回路と、
前記複数の信号線駆動回路を制御する制御回路と、
を有し、
前記制御回路から前記複数の信号線駆動回路への配線は、
前記制御回路から延びた主配線部と、
前記主配線から２つに分岐した第１分岐配線と第２分岐配線とよりなり、
前記第１分岐配線に一又は複数の前記信号線駆動回路が接続され、
前記第２分岐配線に一又は複数の前記信号線駆動回路が接続され、
前記分岐点からみた第１分岐配線のインピーダンスと前記分岐点からみた第２分岐配線のインピーダンスとの比率が、７０％から１５０％である
ことを特徴する平面表示装置の駆動装置。
【請求項２】
互いに直交して配置される複数本の信号線及び走査線と、この信号線と走査線との交点近傍にスイッチング素子を介して配置される画素電極とを備えたアレイ基板と、
前記アレイ基板と光変調層を挟んで配された対向基板と、
を含んた表示セルを駆動させる平面表示装置の駆動装置において、
前記信号線に接続され、画像信号を供給する信号線駆動回路と、
前記走査線に接続され、前記スイッチング素子をＯＮ状態にして前記画像信号を前記画素電極に書き込むゲート信号を供給する複数の走査線駆動回路と、
前記複数の走査線線駆動回路を制御する制御回路と、
を有し、
前記制御回路から前記複数の走査線駆動回路への配線は、
前記制御回路から延びた主配線と、
前記主配線から２つに分岐した第１分岐配線と第２分岐配線とよりなり、
前記第１分岐配線に一又は複数の前記走査線駆動回路が接続され、
前記第２分岐配線に一又は複数の前記走査線駆動回路が接続され、
前記分岐点からみた第１分岐配線のインピーダンスと前記分岐点からみた第２分岐配線のインピーダンスとの比率が、７０％から１５０％である
ことを特徴する平面表示装置の駆動装置。
【請求項３】
互いに直交して配置される複数本の信号線及び走査線と、この信号線と走査線との交点近傍にスイッチング素子を介して配置される画素電極とを備えたアレイ基板と、
前記アレイ基板と光変調層を挟んで配された対向基板と、
を含んた表示セルを駆動させる平面表示装置の駆動装置において、
前記信号線に接続され、画像信号を供給する複数の信号線駆動回路と、
前記走査線に接続され、前記スイッチング素子をＯＮ状態にして前記画像信号を前記画素電極に書き込むゲート信号を供給する複数の走査線駆動回路と、
前記複数の信号線駆動回路と前記複数の走査線駆動回路を制御する制御回路と、
を有し、
前記制御回路から前記複数の信号線駆動回路への配線は、
前記制御回路から延びた主配線と、
前記主配線から第１の分岐点で２つに分岐した第１分岐配線と第２分岐配線とよりなり、
前記第１分岐配線に一又は複数の前記信号線駆動回路が接続され、
前記第２分岐配線に一又は複数の前記信号線駆動回路が接続され、
前記第１の分岐点からみた第１分岐配線のインピーダンスと前記第１の分岐点からみた第２分岐配線のインピーダンスとの比率が、７０％から１５０％であり、
前記制御回路から前記複数の走査線駆動回路への配線は、
前記制御回路から延びた主配線と、
前記主配線から第２の分岐点から２つに分岐した第１分岐配線と第２分岐配線とよりなり、
前記第１分岐配線に一又は複数の前記走査線駆動回路が接続され、
前記第２分岐配線に一又は複数の前記走査線駆動回路が接続され、
前記第２の分岐点からみた第１分岐配線のインピーダンスと前記第２の分岐点からみた第２分岐配線のインピーダンスとの比率が、７０％から１５０％である
ことを特徴する平面表示装置の駆動装置。
【請求項４】
前記分岐点からみた第１分岐配線のインピーダンスと前記分岐点からみた第２分岐配線のインピーダンスとの比率が、１００％である
ことを特徴する請求項１から３記載の平面表示装置の駆動装置。
【請求項５】
前記主配線の分岐点近傍に抵抗素子を配する
ことを特徴する請求項１から３記載の平面表示装置の駆動装置。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００３５
【補正方法】変更
【補正の内容】
【００３５】
ここで、タイミングコントローラ２０から信号線駆動回路２２に送られる信号は、数十ＭＨｚの信号であり、従来技術で説明したように信号波形の乱れの発生防止、及び、ＥＭＩの対策を施す必要がある。
【手続補正７】
【補正対象書類名】明細書
【補正対象項目名】００３９
【補正方法】変更
【補正の内容】
【００３９】
また、第３分岐点Ｃから見た第３分岐配線３８のインピーダンスＺ３と、第３分岐点Ｃから見た第４分岐配線４０のインピーダンスＺ４の比率を、７０％〜１５０％の範囲（すなわち、Ｚ３／Ｚ４＝０．７〜１．５）に設定している。好適には、Ｚ３とＺ４を等しくして１００％に設定している。
【手続補正８】
【補正対象書類名】明細書
【補正対象項目名】００４０
【補正方法】変更
【補正の内容】
【００４０】
ここで、第３分岐点Ｃから見た第３分岐配線３８のインピーダンスＺ３は、第３分岐配線３８の長さ、幅、または、第３分岐配線３８に接続された信号線駆動回路の数によって少なくとも決定される。また、第３分岐点Ｃから見た第４分岐配線４０のインピーダンスＺ４は、第４分岐配線４０の長さ、幅、または、第４分岐配線４０に接続された信号線駆動回路の数によって少なくとも決定される。
【手続補正９】
【補正対象書類名】明細書
【補正対象項目名】００４３
【補正方法】変更
【補正の内容】
【００４３】
図１は、タイミングコントローラ２６と信号線駆動回路２０の配線を概略的に示した配線構造５４であり、タイミングコントローラ４４に４つの信号線駆動回路４６が接続されている。
【手続補正１０】
【補正対象書類名】明細書
【補正対象項目名】００５０
【補正方法】変更
【補正の内容】
【００５０】
この入力インピーダンスが落ち込んでいる周波数では、配線の共振が起きてＥＭＩが増加することが知られている。そして、上記で説明したように、図３の本実施例の配線構造５４と従来例の配線構造１０６とを比較した場合に、従来例の配線構造１０６の場合は落ち込んでいる周波数、すなわち共振周波数の数も本実施例の配線構造５４より多くなるためＥＭＩが増加すると予想されている。従って、逆に本実施例の配線構造５４ではＥＭＩの低下を実現することができる。
【手続補正１１】
【補正対象書類名】明細書
【補正対象項目名】００５８
【補正方法】変更
【補正の内容】
【００５８】
本実施例では、図１における第１の実施例の配線構造５４の主配線４８の分岐点Ｄ近傍に抵抗素子５６を挿入したものである。